(57)【要約】      （修正有）【課題】アロマセラピーを安全かつ手軽に利用可能としつつ、見栄えについても改善可能な精油含浸用シール及びアロマセラピーシールを提供する。【解決手段】アロマセラピーシール１００は、精油含浸用シール１０に精油を含浸させたものである。精油含浸用シール１０は、シート状に形成された保持層２２と、保持層２２を被粘着対象に対して粘着可能とする粘着層２４とを有する。保持層２２及び粘着層２４を含む複数の層を積層したものであり、保持層２２に、アロマセラピー用の精油を含浸させ得るものであり、保持層２２の表面が露出されている。【選択図】図１
0003225977.tif 000002
【実用新案登録請求の範囲】
【請求項１】
シート状に形成された保持層と、
前記保持層を被粘着対象に対して粘着可能とする粘着層とを有し、
前記保持層及び前記粘着層を含む複数の層を積層したものであり、
前記保持層に、精油が含浸されていることを特徴とするシール。
【請求項２】
前記保持層が、不織布により形成されていることを特徴とする請求項１に記載のシール。
【請求項３】
少なくとも前記保持層が、円状に形成されていることを特徴とする請求項１又は２に記載のシール。
【請求項４】
前記粘着層が、前記保持層よりも前記精油の拡散しにくい素材によって構成されていることを特徴とする請求項１〜３のいずれかに記載のシール。
【請求項５】
前記粘着層の片面が、前記被粘着対象に粘着される糊面とされており、
未使用状態において前記糊面を保護する保護シートが設けられており、
前記保持層及び前記粘着層を含むシール片を貼付するための貼付面が、前記保護シートに設けられており、
前記シール片を前記保護シートから剥離することにより、前記糊面が露出し、前記被粘着対象に対して粘着可能になるものであり、
前記保護シートが、少なくとも前記貼付面において疎油性を有することを特徴とする請求項１〜４のいずれかに記載のシール。
【請求項６】
前記シール片が、前記保護シートに対して複数配置されており、
隣接する前記シール片同士の間に所定の間隔が設けられていることを特徴とする請求項５に記載のシール。
【請求項７】
前記保護シートが、前記保持層よりも前記精油の拡散しにくい素材によって構成されていることを特徴とする請求項５又は６に記載のシール。
【考案の詳細な説明】
【技術分野】
【０００１】
本考案は、アロマセラピーあるいはアロマセラピーと呼ばれるもの（以下、「アロマセラピー」と総称する）に用いるアロマセラピーシールに関する。
【背景技術】
【０００２】
従来、アロマセラピー用の精油を使用する場合には、精油が入ったボトルからティッシュペーパーや、下記特許文献１に開示されているアロマペンダントに精油を滴下させて使用する方法や、アロマポッドなどの機器を用いて使用する方法が採られていた。
【先行技術文献】
【特許文献】
【０００３】
【特許文献１】実用新案登録第３１９５８３４号公報
【考案の概要】
【考案が解決しようとする課題】
【０００４】
近年、アロマセラピーは、単に香りを楽しむという趣味的なものだけでなく、医療分野や介護分野などにおいても香りによる効用を治療に利用しようとする試みがなされつつある。そのため、アロマセラピーを趣味とする、いわばアロマセラピーに精通した人だけでなく、アロマセラピーについての知識を持たない人や、老人、年少者などもアロマセラピーを利用する機会が生まれつつある。
【０００５】
ここで、上述したようにアロマセラピーになじみのない老人などが精油が入ったボトルを渡された場合、目薬と間違って目にさしてしまったり、飲用の薬剤と誤って飲んでしまうといった不測の事態が生じかねないという問題がある。また、従来用いられているアロマポッドなどの機器類には、精油を加熱するための熱源を備えたものなど、取り扱いに注意を要するものが多いという問題があった。さらに、従来のようにティッシュペーパーに精油を滴下して使用する方法では見栄えが悪いという問題もあった。
【０００６】
そこで本考案は、アロマセラピーを安全かつ手軽に利用可能としつつ、見栄えについても改善可能な精油含浸用シール、アロマセラピーシール、及びアロマセラピー施行法の提供を目的とした。
【課題を解決するための手段】
【０００７】
上述した課題を解決すべく提供される本考案の精油含浸用シールは、シート状に形成された保持層と、前記保持層を被粘着対象に対して粘着可能とする粘着層とを有し、前記保持層及び前記粘着層を含む複数の層を積層したものであり、前記保持層に、アロマセラピー用の精油を含浸させ得るものであり、前記保持層の表面が露出されていることを特徴とするものである。
【０００８】
本考案の精油含浸用シールは、アロマセラピー用の精油を保持層に含浸させた状態とし、粘着層を用いて任意の場所に貼付して使用できる。本考案の精油含浸用シールのようにシート状とすることにより、家具などの形状が固定した構造物はもちろんのこと、衣服やタオルなどのリネン類のように屈曲する場所にも貼付して使用することができる。そのため、本考案の精油含浸用シールを用いれば、装着する場所を選ばず使用することができる。従って、本考案の精油含浸用シールを用いることにより、アロマセラピーを手軽に利用できる。
【０００９】
また、本考案の精油含浸用シールは、保持層の表面が露出しており、加熱等しなくても精油を揮発させることができる。そのため、本考案の精油含浸用シールを用いることにより、老人や年少者などであってもアロマセラピーを安全に利用できる。また、本考案の精油含浸用シールのように、保持層に含浸させた精油を保持層の表面から自然に揮発させることにより、程よく安定した揮発速度で精油を揮発させることができる。従って、本考案の精油含浸用シールを用いれば、長期に亘って安定したアロマセラピー効果が得られる。
【００１０】
また、本考案の精油含浸用シールは、例えば衣服やタオルなどのリネン類の裏側に貼り付けるなどして使用できる。そのため、従来のようにティッシュペーパーに精油を滴下して使用する場合などに比べて見栄え良くアロマセラピーを利用できる。
【００１１】
上述した本考案の精油含浸用シールは、前記保持層が、不織布により形成されているものであることが望ましい。
【００１２】
本考案の精油含浸用シールのように、保持層を不織布により形成することにより、保持層の略全体に亘って精油をスムーズかつ略均一に含浸させることができる。
【００１３】
ここで、本考案の精油含浸用シールにおいて保持層に精油を滴下した場合、精油は滴下位置から放射状に拡散するものと考えられる。そのため、精油を保持層の略全体に亘って略均一に含浸させるためには、少なくとも保持層について、このような拡散特性を考慮した形状とすることが望ましい。
【００１４】
かかる知見に基づいて提供される本考案の精油含浸用シールは、少なくとも前記保持層が、円状に形成されているものである。
【００１５】
かかる構成によれば、保持層に滴下された精油を保持層の略全体に亘って略均一に含浸させることができる。
【００１６】
ここで、上述したように本考案の精油含浸用シールを衣服やタオルなどのリネン類、家具などに貼付して使用することを考慮すると、保持層に含浸させた精油が、粘着層に染み込むのを抑制できるものであることが望ましい。
【００１７】
かかる知見に基づいて提供される本考案の精油含浸用シールは、前記粘着層が、前記保持層よりも前記精油の拡散しにくい素材によって構成されているものである。
【００１８】
かかる構成によれば、保持層に含浸させた精油が粘着層側に染み込むのを抑制できる。これにより、衣服やタオルなどのリネン類、家具などの被粘着対象にまで精油が染み出したり、粘着層の粘着力が低下したりするのを抑制できる。
【００１９】
上述した本考案の精油含浸用シールは、前記粘着層の片面が、前記被粘着対象に粘着される糊面とされており、未使用状態において前記糊面を保護する保護シートが設けられており、前記保持層及び前記粘着層を含むシール片を貼付するための貼付面が、前記保護シートに設けられており、前記シール片を前記保護シートから剥離することにより、前記糊面が露出し、被粘着対象に対して粘着可能になるものであり、前記保護シートが、少なくとも前記貼付面において疎油性を有するものであることが望ましい。
【００２０】
本考案の精油含浸用シールは、粘着層の糊面が保護シートにより保護されており、必要に応じて保護シートからシール片を剥離して使用することができる。また、保護シートが疎油性を有する素材によって形成されているため、保護シートを介して精油が染み出す等の問題を回避し得る。
【００２１】
ここで、保護シートに複数のシール片を並べて配置した場合、そのうちの一つのシール片に滴下した精油が、シール片からはみ出し、隣接する他のシール片に向けて染み出す懸念がある。
【００２２】
かかる懸念を解消すべく提供される本考案の精油含浸用シールは、前記シール片が、前記保護シートに対して複数配置されており、隣接する前記シール片同士の間に所定の間隔が設けられているものである。
【００２３】
かかる構成によれば、シール片に滴下した精油が、隣接する他のシール片に向けて染み出すのを抑制できる。
【００２４】
上述した本考案の精油含浸用シールは、前記保護シートが、前記保持層よりも前記精油の拡散しにくい素材によって構成されていることが好ましい。
【００２５】
かかる構成によれば、保持層に滴下された精油が保護シートから染み出して拡散してしまうのを抑制できる。
【００２６】
また、本考案のアロマセラピーシールは、上述した本考案の精油含浸用シールの前記保持層に、前記精油が含浸されていることを特徴とするものである。
【００２７】
本考案のアロマセラピーシールは、上述した本考案の精油含浸用シールに対して精油を含浸させた状態のものである。そのため、精油を保持層に含浸させる作業を行うことなく、衣服やタオルなどのリネン類、家具などの被粘着対象に貼付するだけで手軽かつ安全にアロマセラピーを利用できる。また、本考案のアロマセラピーシールは、上述した精油含浸用シールを用いたものであるため、衣服等の裏側に貼り付けるなどして見栄え良くアロマセラピーを利用できる。また、本考案のアロマセラピーシールでは、予め精油が含浸されているため、利用者が精油を選ぶ手間や、精油の含浸量が適量となるように滴下量を調整する等の手間を省くことができる。これにより、例えばアロマセラピーの初心者や、老人、年少者等のように、効果的な精油の選択や最適な精油の滴下量の判断が難しい人であっても、簡単かつ安全にアロマセラピーを施行できる。
【００２８】
本考案のアロマセラピー施行法は、上述した精油含浸用シールに前記精油を含浸させると共に、前記精油を含浸させた精油含浸用シールを前記保持層が大気に露出するように衣服あるいは物品に貼付して使用することを特徴とするものである。
【００２９】
本考案のアロマセラピー施行法では、精油を含浸させるための精油含浸用シールが用いられる。そのため、利用者が選択した精油を用いてアロマセラピーを施行できる。また、利用者が精油を含浸させた精油含浸用シールを、保持層が大気中に露出した状態になるように衣服等に貼付するだけで、アロマセラピーを施行できる。従って、本考案によれば、安全かつ手軽にアロマセラピーを利用可能なアロマセラピー施行法を提供できる。
【００３０】
本考案のアロマセラピー施行法は、上述したアロマセラピーシールを前記保持層が大気に露出するように衣服あるいは物品に貼付して使用することを特徴とするものである。
【００３１】
本考案のアロマセラピー施行法では、精油を予め含浸させたアロマセラピーシールが用いられる。そのため、利用者がアロマセラピーに不慣れな人であったとしても、難なくアロマセラピーを施行できる。また、利用者が精油を含浸させたアロマセラピーシールを、衣服等に貼付して保持層を大気中に露出させるだけでアロマセラピーを施行できる。従って、本考案によれば、安全かつ手軽にアロマセラピーを利用可能なアロマセラピー施行法を提供できる。
【考案の効果】
【００３２】
本考案によれば、アロマセラピーを安全かつ手軽に利用可能としつつ、見栄えについても改善可能な精油含浸用シール、アロマセラピーシール、及びアロマセラピー施行法を提供できる。
【図面の簡単な説明】
【００３３】
【図１】（ａ）は本考案の一実施形態に係る精油含浸用シール及びアロマセラピーシールを示す平面図、（ｂ）は（ａ）のＡ−Ａ断面図である。
【図２】（ａ）は図１のアロマセラピーシールを包装袋内に収容した状態を示す断面図、（ｂ）は（ａ）のＢ部拡大図である。
【図３】精油含有用シールやアロマセラピーシール等のアロマセラピーグッズを収容する収容袋を示す図であり、（ａ）は正面図、（ｂ）は背面図、（ｃ）は左側面図、（ｄ）は平面図、（ｅ）は底面図である。
【図４】図３の包装袋について、ラベル部分を除く部分を破線で示した図である。
【図５】精油含有用シールやアロマセラピーシール等のアロマセラピーグッズを収容する収容袋を示す図であり、（ａ）は正面図、（ｂ）は背面図、（ｃ）は左側面図、（ｄ）は平面図、（ｅ）は底面図である。
【図６】図５の包装袋について、ラベル部分を除く部分を破線で示した図である。
【図７】本考案の一実施形態に係るアロマセラピーシールの製造方法を示すフローチャートである。
【図８】図７の包装袋について、ラベル部分を除く部分を破線で示した図である。
【図９】精油含有用シールやアロマセラピーシール等のアロマセラピーグッズを収容する収容袋を示す図であり、（ａ）は正面図、（ｂ）は背面図、（ｃ）は左側面図、（ｄ）は平面図、（ｅ）は底面図である。
【図１０】図９の包装袋について、ラベル部分を除く部分を破線で示した図である。
【図１１】精油含有用シールやアロマセラピーシール等のアロマセラピーグッズを収容する収容袋を示す図であり、（ａ）は正面図、（ｂ）は背面図、（ｃ）は左側面図、（ｄ）は平面図、（ｅ）は底面図である。
【図１２】図１１の包装袋について、ラベル部分を除く部分を破線で示した図である。
【図１３】精油含有用シールやアロマセラピーシール等のアロマセラピーグッズを収容する収容袋を示す図であり、（ａ）は正面図、（ｂ）は背面図、（ｃ）は左側面図、（ｄ）は平面図、（ｅ）は底面図である。
【図１４】図１３の包装袋について、ラベル部分を除く部分を破線で示した図である。
【考案を実施するための形態】
【００３４】
以下、本考案の精油含浸用シール１０及びアロマセラピーシール１００と、アロマセラピー施行法について、図面を参照しつつ詳細に説明する。
【００３５】
≪精油含浸用シール１０について≫
図１に示すように、精油含浸用シール１０は、シール片２０が保護シート３０に貼付されたシート状のものである。図１に示す例では、複数（本実施形態では６枚）のシール片２０が一枚の保護シート３０に所定の配列で配置されている。精油含浸用シール１０は、アロマセラピー用の精油をシール片２０に含浸させた後、シール片２０を保護シート３０から剥離して衣服や帽子等の着衣、タオルなどのリネン類、ベッドあるいはタンスなどの家具等の構造物などの被粘着対象に粘着することにより、アロマセラピー効果を得るために使用されるものである。
【００３６】
図１（ａ）に示すように、シール片２０は、略円形の形状に形成され、自由に屈曲可能なシート状のものである。図１（ｂ）に示すように、シール片２０は、保持層２２及び粘着層２４を含む複数の層を積層した積層構造とされている。
【００３７】
保持層２２は、アロマセラピー用の精油を含浸させるために設けられた層である。保持層２２は、精油を含浸可能なものであればいかなるものであっても良いが、滴下した精油をスムーズかつ略均一に拡散可能であると共に、含浸させた精油を大気環境下において揮発させることが可能なものであることが望ましい。本実施形態では、保持層２２は、シート状の不織布により形成されている。また、保持層２２は、シール片２０の最も外側に配されており、表面が外部に露出されている。保持層２２を待機中に晒すことにより、保持層２２に含浸された精油を揮発させることができる。保持層２２の厚みや大きさについては、アロマセラピー用の精油の含浸量や、精油の揮発によりアロマセラピー効果を得る期間の長さ等によって適宜調整可能である。
【００３８】
ここで、保持層２２を構成する不織布は、精油に含まれる化学成分に対して不活性であればいかなるものであっても良い。具体的には、保持層２２を構成する不織布には、天然繊維及び化学繊維、合成繊維を含む広範囲の繊維が使用可能であり、例えば化学的安定性が高いポリエステル繊維及びセルローズ系繊維などを好適に利用可能である。また、不織布の構造や製造方法についても特に限定されるものではなく、従来公知のフェルト化法で得られた不織布等を好適に使用可能である。
【００３９】
粘着層２４は、保持層２２を衣服やタオルなどのリネン類、家具などの被粘着対象に対して粘着可能とするために設けられた層である。粘着層２４は、保持層２２よりも精油の拡散しにくい素材によって構成されている。具体的には、粘着層２４は、従来公知の粘着剤や粘着剤などを保持層２２の裏面側に塗布する等して形成されている。粘着層２４は、保持層２２側に向く面（固定面２４ａ）と、固定面２４ａとは反対側に向く面（糊面２４ｂ）とを有する。粘着層２４は、固定面２４ａ側が保持層２２側に固定することにより、保持層２２と一体化されている。また、糊面２４ｂは、シール片２０を貼付する際に被粘着対象に接触する面であり、粘着性を有する。
【００４０】
保護シート３０は、シール片２０の未使用状態において糊面２４ｂの粘着力が損なわれないように保護するためのシート状の部材である。保護シート３０は、精油に含まれるオイル成分に対し、疎油性を有する素材により形成されている。また、保護シート３０には、シール片２０の保持層２２よりも精油の拡散しにくい素材により形成されている。これらの特性を有する素材として、具体的にはポリプロピレン（ＰＰ）、ポリエチレン（ＰＥ）、ポリスチレン（ＰＳ）、ポリエチレンテレフタレート（ＰＥＴ）等の樹脂素材や、紙などのシートの表面を樹脂素材等の疎油性を有する素材でコーティングしたものなどを用いることができる。
【００４１】
保護シート３０は、表面側が貼付面３０ａとされ、裏面側が非貼付面３０ｂとされている。シール片２０は、保護シート３０の貼付面３０ａにのみシール片２０が貼付されており、非貼付面３０ｂにはシール片２０が貼付されていない。シール片２０は、非貼付面３０ｂ側が平滑とされている。貼付面３０ａは、シール片２０をなす粘着層２４の糊面２４ｂが面接触する面である。シール片２０は、糊面２４ｂを構成する粘着成分を殆ど残存させることなく、貼付面３０ａから剥離できる。
【００４２】
アロマセラピーシール１００は、上述した精油含浸用シール１０の各シール片２０において、保持層２２にアロマセラピー用の精油を含浸させたものである。そのため、アロマセラピーシール１００によれば、必要に応じてシール片２０を保護シート３０から剥がし、衣服などの任意の場所に貼り付けるだけで、アロマセラピー効果を得ることができる。
【００４３】
アロマセラピーシール１００は、保持層２２に含浸させた精油の揮発を抑制すべく、例えば図３〜図１３に示した包装袋１１０等の袋や容器に収容した状態で保管されることが望ましい。また、精油含浸用シール１０の状態で販売等し、使用者自身で精油含浸用シール１０に精油を含浸させて使用できるようにする場合についても、衛生面等の観点から図１４に示すように包装袋１１０等の袋や容器に収容した状態とされることが望ましい。ここで一般的に、アロマセラピー用の精油は、光の作用により酸化等して品質が劣化する特性を有するものが多い。また、アロマセラピー用の精油の大半は、気化して揮発しやすい特性を有する。そのため、アロマセラピーシール１００を保管するための袋や容器は、遮光性を有し、気密状態で保持可能なものであることが望ましい。また、精油含浸用シール１０についても、使用者自身で精油を含浸させてアロマセラピーシール１００の状態にした後、保管しておきたい場合が想定される。そのため、精油含浸用シール１０を保管するための袋や容器についても、遮光性を有し、気密状体で保持可能なものであることが望ましい。図３〜図１４に示した包装袋１１０は、アルミ蒸着などの手法により形成された遮光性を有するシートを平袋状に形成した袋本体１１２の口にチャック１１４を設け、チャック１１４を閉じることにより気密状態となるように封止できるものである。
【００４４】
また、図３〜図１４の包装袋１１０は、袋本体１１２の表面に、ラベル１１６が貼付されている。ラベル１１６にアロマセラピーシール１００を使用することにより期待できる効能や、香りの種類、精油の名称などを付しておくことが好ましい。これにより、包装袋１１０に収容されているアロマセラピーシール１００の種類の確認等のために、必要以上に包装袋１１０が開封されるのを抑制し、精油の揮発や劣化を最小限に抑制できる。
【００４５】
アロマセラピーシール１００は、一枚の保護シート３０に設けられた複数のシール片２０に対して、異なる精油を含浸させたものとしても良いが、包装袋１１０等によって気密状態とされた環境下で保管することを想定すると、全てのシール片２０に同一の精油を含浸させたものであることが望ましい。また、包装袋１１０に複数のアロマセラピーシール１００を収容する場合についても、同様の観点から、一緒に収容される全てのアロマセラピーシール１００が同一の精油を含浸させたものであることが好ましい。
【００４６】
続いて、精油含浸用シール１０あるいはアロマセラピーシール１００を利用したアロマセラピーの施行方法について詳細に説明する。
【００４７】
上述したように、本実施形態の精油含浸用シール１０やアロマセラピーシール１００は、アロマセラピー用の精油を保持層２２に含浸させた状態とし、粘着層２４を用いて任意の場所に貼付して使用できる。本実施形態の精油含浸用シール１０のようにシート状とすることにより、家具などの形状が固定した構造物はもちろんのこと、衣服やタオルなどのリネン類のように屈曲する場所にも貼付して使用することができる。そのため、本実施形態の精油含浸用シール１０やアロマセラピーシール１００を用いれば、装着する場所を選ばず手軽にアロマセラピーを利用できる。
【００４８】
また、上述したように、シール片２０の保持層２２が、表面を露出させた状態とされており、加熱等しなくても精油を揮発させることができる。そのため、精油含浸用シール１０やアロマセラピーシール１００によれば、老人や年少者などのアロマセラピーに詳しくない人たちであってもアロマセラピーを安全に利用できる。また、上述したように保持層２２に含浸させた精油を保持層２２の表面から自然に揮発させることにより、程よく安定した揮発速度で精油を揮発させ、長期に亘って安定したアロマセラピー効果を得ることができる。
【００４９】
また、本実施形態の精油含浸用シール１０やアロマセラピーシール１００は、例えば衣服やタオルなどのリネン類の裏側に貼り付けるなどして使用できる。そのため、従来のようにティッシュペーパーに精油を滴下して使用する場合などに比べて見栄え良くアロマセラピーを利用できる。
【００５０】
また、本実施形態において例示したように、保持層２２として、不織布のように織り目がランダムな素材により形成されたものを用いることにより、保持層２２の略全体に亘って精油をスムーズかつ略均一に含浸させることができる。なお、本実施形態では、保持層２２を不織布により形成した例を示したが、本考案はこれに限定されるものではなく、他の素材によって形成されていてもよい。保持層２２を不織布以外の素材によって形成する場合についても、織り目がランダムなもの等、精油をスムーズかつ略全域に亘って略均一に含浸させることが可能なものであることが望ましい。
【００５１】
本実施形態では、保持層２２を無地の素材で形成した例を示したが、本考案はこれに限定されるものではなく、印刷等の適宜の手法により文字や図形、模様等を保持層２２に表示したものであっても良い。
【００５２】
また、本実施形態において例示したように、シール片２０を円状に形成することにより、保持層２２に滴下された精油を保持層２２の略全体に亘って略均一に含浸させることができる。なお、本実施形態では、シール片２０の全体を略円形に形成した例を示したが、本考案はこれに限定されるものではなく、例えば保持層２２を略円形としつつ、粘着層２４等を非円形としたものであっても良い。また、シール片２０は、略円形の形状に限定されず、例えば三角形や四角形、五角形、六角形などの多角形の形状とされても良い。なお、シール片２０は、精油を滴下した場合に放射状に拡散することを考慮し、少なくとも保持層２２を円形や楕円形などの円状の形状に形成することが望ましい。また、保持層２２を多角形とする場合には、正多角形とすることが望ましい。
【００５３】
また、本実施形態において例示したように、粘着層２４を保持層２２よりも精油の拡散しにくい素材によって形成することにより、保持層２２に含浸させた精油が粘着層２４側に染み込むのを抑制できる。これにより、衣服やタオルなどのリネン類、家具などの被粘着対象にまで精油が染み出したり、粘着層２４の粘着力が低下したりするのを抑制できる。なお、本実施形態では、粘着層２４として精油が染み込みにくくい素材を用いる例を示したが、本考案はこれに限定されるものではない。具体的には、例えば保持層２２に含浸させた精油を経皮吸収させたい場合のように、粘着層２４側にも精油が染み込みやすいものであることが好ましい場合には、粘着層２４を保持層２２と同等以上に精油が拡散しやすい素材によって形成しても良い。また、本実施形態では粘着層２４を単層構造とし、粘着層２４全体を精油が拡散しにくい素材で形成した例を示したが、本考案はこれに限定されるものではない。例えば、粘着層２４を二層構造とし、保持層２２側（固定面２４ａ側）の層を精油の拡散しにくい素材で形成し、糊面２４ｂ側の層については精油の拡散しやすさを考慮せず適宜の素材によって形成しても良い。
【００５４】
本実施形態の精油含浸用シール１０やアロマセラピーシール１００は、保護シート３０が疎油性を有する素材によって形成されているため、保護シート３０を介して精油が染み出す等の問題を回避し得る。なお、本実施形態では、保護シート３０として疎油性を有する素材によって形成した例を示したが、本考案はこれに限定されるものではなく、疎油性を考慮することなく適宜の素材からなるシートを保護シート３０として採用しても良い。
【００５５】
また、上述したように、保護シート３０上に配置されたシール片２０同士の間に所定の間隔が設けることにより、シール片２０に滴下した精油が、隣接する他のシール片２０に向けて染み出すのを抑制できる。これにより、アロマセラピーシール１００の製造不良を最小限に抑制できる。なお、本実施形態では、シール片２０同士の間に間隔を設けた例を示したが、本考案はこれに限定されるものではなく、略隙間なくシール片２０を配置しても良い。
【００５６】
本実施形態の精油含浸用シール１０やアロマセラピーシール１００では、保護シート３０を保持層２２よりも精油の拡散しにくい素材によって形成している。そのため、保持層２２に滴下された精油が保護シート３０から染み出して拡散してしまうのを抑制できる。なお、本実施形態では保護シート３０として精油が拡散しにくい素材で形成した例を示したが、精油の拡散特性を考慮せず任意の素材によって形成されたものであっても良い。
【００５７】
本実施形態のアロマセラピーシール１００は、上述した本実施形態の精油含浸用シール１０に対して精油を含浸させた状態のものである。そのため、精油を保持層２２に含浸させる作業を行うことなく、衣服やタオルなどのリネン類、家具などの被粘着対象に貼付するだけで手軽かつ安全にアロマセラピーを利用できる。また、本実施形態のアロマセラピーシール１００は、上述した精油含浸用シール１０を用いたものであるため、衣服の裏側に貼り付けるなどして見栄え良くアロマセラピーを利用できる。
【００５８】
さらに、アロマセラピーシール１００は、予め精油を適量含浸させたものであるため、利用者が精油を選ぶ手間や、精油の滴下量を調整する等の手間を省くことができる。これにより、例えばアロマセラピーの初心者や、老人、年少者等のように、効果的な精油の選択や最適な精油の滴下量の判断が難しい人や、手間なくアロマセラピーを利用したい人などであっても、簡単かつ安全にアロマセラピーを施行できる。
【００５９】
また、本実施形態では、予め保持層２２に精油を含浸させてアロマセラピーシール１００の状態とし、包装袋１１０などに保管しておき、適宜使用可能とする例を示したが、本考案はこれに限定されるものではない。具体的には、精油含浸用シール１０に精油を含浸させることなくそのままの状態で保管しておき、使用者がアロマセラピーを行う直前など任意のタイミングで精油を保持層２２に滴下させて使用ようにしても良い。
【産業上の利用可能性】
【００６０】
本考案の精油含浸用シールは、アロマセラピーを行うためのアロマセラピーグッズとして好適に利用できる。また、本考案のアロマセラピーシールは、アロマセラピーに精通した人だけでなく、老人や若年者などのアロマセラピーに馴染みのない人でも安全かつ手軽に利用可能とするためのものとして好適に利用可能である。
【符号の説明】
【００６１】
１０    精油含浸用シール
２０    シール片
２２    保持層
２４    粘着層
２４ｂ  糊面
３０    保護シート
１００    アロマセラピーシール
１１０    包装袋
【図１】
0003225977.tif 000003
【図２】
0003225977.tif 000004
【図３】
0003225977.tif 000005
【図４】
0003225977.tif 000006
【図５】
0003225977.tif 000007
【図６】
0003225977.tif 000008
【図７】
0003225977.tif 000009
【図８】
0003225977.tif 000010
【図９】
0003225977.tif 000011
【図１０】
0003225977.tif 000012
【図１１】
0003225977.tif 000013
【図１２】
0003225977.tif 000014
【図１３】
0003225977.tif 000015
【図１４】
0003225977.tif 000016